【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
電子メールサーバ上に設けられているメールボックスに蓄積されている電子メールを受信する受信手段と、
前記受信手段が受信した電子メールを記憶する記憶手段と、
前記メールボックスに蓄積されている電子メールのサイズ情報を取得する取得手段と、
前記取得手段が取得したサイズ情報に基づいて前記電子メールのサイズが前記記憶手段の領域サイズを超えているか否かを判断して前記電子メールを受信するか否かを判断する判断手段と、
前記判断手段が前記電子メールを受信しないと判断した場合、前記受信しないと判断した電子メールの情報を通信管理情報として前記記憶手段に記憶させる制御手段とを有することを特徴とする情報処理装置。
【請求項２】
前記メールボックスに少なくとも１つの電子メールが蓄積されている場合、前記制御手段は前記判断手段が受信しないと判断した電子メールの件数を通知することを特徴とする請求項１に記載の情報処理装置。
【請求項３】
前記取得手段は前記蓄積されている電子メールのサイズの合計を取得し、前記判断手段は前記取得した前記蓄積されている電子メールのサイズの合計が前記記憶手段の領域サイズを超えているか否かを判断することを特徴とする請求項２記載の情報処理装置。
【請求項４】
前記判断手段は、前記取得した前記蓄積されている電子メールのサイズの合計が前記記憶手段の領域サイズを超えていると判断した場合、前記蓄積されている電子メール全てを受信しないと判断することを特徴とする請求項３記載の情報処理装置。
【請求項５】
前記判断手段が前記取得手段によって取得されたサイズ情報に基づいて前記電子メールのサイズが前記記憶手段の領域サイズを超えていないと判断して前記電子メールを受信すると判断した場合、前記受信手段は前記電子メールを前記電子メールサーバから受信し、前記制御手段は前記受信手段が受信した電子メールから取得した情報を前記通信管理情報として前記記憶手段に記憶させることを特徴とする請求項１乃至４のいずれか１項に記載の情報処理装置。
【請求項６】
前記判断手段が受信すると判断した電子メールを前記受信手段が受信した後に、前記受信手段が受信した電子メールを出力する出力手段をさらに有することを特徴とする請求項１乃至５のいずれか１項に記載の情報処理装置。
【請求項７】
電子メールサーバに接続される情報処理装置の情報処理方法において、
前記電子メールサーバ上に設けられているメールボックスに蓄積されている電子メールを受信する受信工程と、
前記受信工程において受信した電子メールを前記情報処理装置の記憶手段に記憶する記憶工程と、
前記メールボックスに蓄積されている電子メールのサイズ情報を取得する取得工程と、
前記取得工程において取得したサイズ情報に基づいて前記電子メールのサイズが前記記憶手段の領域サイズを超えているか否かを判断して前記電子メールを受信するか否かを判断する判断工程と、
前記判断工程において前記電子メールを受信しないと判断した場合、前記受信しないと判断した電子メールの情報を通信管理情報として前記記憶手段に記憶する制御工程とを有することを特徴とする情報処理方法。
【請求項８】
前記メールボックスに少なくとも１つの電子メールが蓄積されている場合、前記制御工程は前記判断工程において受信をしないと判断した電子メールの件数を通知することを特徴とする請求項７記載の情報処理方法。
【請求項９】
前記取得工程は前記蓄積されている電子メールのサイズの合計を取得し、前記判断工程は前記取得した前記蓄積されている電子メールのサイズの合計が前記記憶手段の領域サイズを超えているか否かを判断することを特徴とする請求項８に記載の情報処理方法。
【請求項１０】
前記判断工程は、前記取得した前記蓄積されている電子メールのサイズの合計が前記記憶手段の領域サイズを超えていると判断した場合、前記蓄積されている電子メール全てを受信しないと判断することを特徴とする請求項９記載の情報処理方法。
【請求項１１】
前記判断工程において、前記取得工程により取得したサイズ情報に基づいて前記電子メールのサイズが前記記憶手段の領域サイズを超えていないと判断して前記電子メールを受信すると判断した場合、前記受信工程は前記電子メールを前記電子メールサーバから受信し、前記制御工程は前記受信工程によって受信した電子メールから取得した情報を前記通信管理情報として前記記憶手段に記憶することを特徴とする請求項７乃至１０のいずれか１項に記載の情報処理方法。
【請求項１２】
前記判断工程において受信すると判断した電子メールを前記受信工程において受信した後に、前記受信工程において受信した電子メールを出力する出力ステップをさらに有することを特徴とする請求項７乃至１１のいずれか１項に記載の情報処理方法。
【請求項１３】
電子メールサーバに接続される情報処理装置の情報処理方法をコンピュータに実行させるプログラムであって、
前記電子メールサーバ上に設けられているメールボックスに蓄積されている電子メールを受信する受信モジュールと、
前記受信モジュールが受信した電子メールを前記情報処理装置の記憶手段に記憶する記憶モジュールと、
前記メールボックスに蓄積されている電子メールのサイズ情報を取得する取得モジュールと、
前記取得モジュールが取得したサイズ情報に基づいて前記電子メールのサイズが前記記憶手段の領域サイズを超えているか否かを判断して前記電子メールを受信するか否かを判断する判断モジュールと、
前記判断モジュールが前記電子メールを受信しないと判断した場合、前記受信しないと判断した電子メールの情報を通信管理情報として前記記憶手段に記憶する制御モジュールとを有することを特徴とするプログラム。
【請求項１４】
請求項１３に記載のプログラムを格納することを特徴とするコンピュータ読み取り可能な記憶媒体。
【請求項１５】
電子メールサーバ上に設けられているメールボックスに蓄積されている電子メールを受信する受信手段と、
前記メールボックスに少なくとも１つの電子メールが蓄積されている場合、前記メールボックスに蓄積されている電子メールのサイズ情報を取得する取得手段と、
前記取得手段が取得したサイズ情報に基づいて前記電子メールを受信するか否かを判断する判断手段とを有し、
前記判断手段が前記電子メールを受信しないと判断した場合、前記受信手段は前記受信しないと判断された電子メールの受信動作を行わず、前記判断手段は前記受信しないと判断された電子メール以外の他の電子メールを受信するか否かの判断に移行することを特徴とする情報処理装置。
【請求項１６】
前記受信手段が受信した電子メールを記憶する記憶手段をさらに有し、
前記判断手段は、前記取得手段が取得したサイズ情報に基づいて前記電子メールのサイズが前記記憶手段の領域サイズを超えているか否かを判断して前記電子メールを受信するか否かを判断することを特徴とする請求項１５記載の情報処理装置。
【請求項１７】
前記判断手段が受信しないと判断した電子メールの前記受信手段による受信動作が中止された旨を通知する制御手段をさらに有することを特徴とする請求項１５又は１６記載の情報処理装置。
【請求項１８】
前記判断手段が受信すると判断した電子メールを前記受信手段が受信する場合、前記制御手段は前記受信手段が受信した電子メールから取得した情報を通信管理情報として記憶することを特徴とする請求項１７に記載の情報処理装置。
【請求項１９】
前記判断手段が受信すると判断した電子メールを前記受信手段が受信する場合、前記受信手段が受信した電子メールを出力する出力手段をさらに有することを特徴とする請求項１５乃至１８のいずれか１項に記載の情報処理装置。
【請求項２０】
電子メールサーバに接続される情報処理装置の情報処理方法において、
前記電子メールサーバ上に設けられているメールボックスに蓄積されている電子メールを受信する受信工程と、
前記メールボックスに少なくとも１つの電子メールが蓄積されている場合、前記メールボックスに蓄積されている電子メールのサイズ情報を取得する取得工程と、
前記取得工程において取得したサイズ情報に基づいて前記電子メールを受信するか否かを判断する判断工程とを有し、
前記判断工程において前記電子メールを受信しないと判断した場合、前記受信工程は前記受信しないと判断された電子メールの受信動作を行わず、前記判断工程は前記受信しないと判断された電子メール以外の他の電子メールを受信するか否かの判断に移行することを特徴とする情報処理方法。
【請求項２１】
前記受信工程において受信した電子メールを前記情報処理装置の記憶手段に記憶する記憶工程をさらに有し、
前記判断工程は、前記取得工程において取得したサイズ情報に基づいて前記電子メールのサイズが前記記憶手段の領域サイズを超えているか否かを判断して前記電子メールを受信するか否かを判断することを特徴とする請求項２０記載の情報処理方法。
【請求項２２】
前記判断工程において受信しないと判断した電子メールの前記受信工程における受信動作が中止された旨を通知する制御工程をさらに有することを特徴とする請求項２０又は２１記載の情報処理方法。
【請求項２３】
前記判断工程において受信すると判断した電子メールを前記受信工程において受信する場合、前記制御工程は前記受信工程において受信した電子メールから取得した情報を通信管理情報として記憶することを特徴とする請求項２２に記載の情報処理方法。
【請求項２４】
前記判断工程において受信すると判断した電子メールを前記受信工程において受信する場合、前記受信工程において受信した電子メールを出力する出力工程をさらに有することを特徴とする請求項２０乃至２３のいずれか１項に記載の情報処理方法。
【請求項２５】
電子メールサーバに接続される情報処理装置の情報処理方法をコンピュータに実行させるプログラムであって、
前記電子メールサーバ上に設けられているメールボックスに蓄積されている電子メールを受信する受信モジュールと、
前記メールボックスに少なくとも１つの電子メールが蓄積されている場合、前記メールボックスに蓄積されている電子メールのサイズ情報を取得する取得モジュールと、
前記取得モジュールが取得したサイズ情報に基づいて前記電子メールを受信するか否かを判断する判断モジュールとを有し、
前記判断モジュールが前記電子メールを受信しないと判断した場合、前記受信モジュールは前記受信しないと判断された電子メールの受信動作を行わず、前記判断モジュールは前記受信しないと判断された電子メール以外の他の電子メールを受信するか否かの判断に移行することを特徴とするプログラム。
【請求項２６】
請求項２５に記載のプログラムを格納したことを特徴とするコンピュータ読み取り可能な記憶媒体。
【請求項２７】
電子メールサーバ上に設けられているメールボックスに蓄積されている電子メールを受信する受信手段と、
前記メールボックスに蓄積されている電子メールの属性情報を取得する第１取得手段と、
前記第１取得手段が取得した前記属性情報に基づいて前記電子メールを受信するか否かを判断する判断手段と、
前記判断手段が前記電子メールを受信しないと判断した場合、前記受信しないと判断された電子メールを前記メールボックスから削除する指示を前記電子メールサーバに送信する制御手段とを有することを特徴とする情報処理装置。
【請求項２８】
前記受信手段が前記電子メールを受信する動作を行う前に、前記判断手段が前記電子メールを受信するか否かを判断することを特徴とする請求項２７に記載の情報処理装置。
【請求項２９】
前記メールボックスに少なくとも１つの電子メールが蓄積されている場合、前記判断手段は、前記電子メールを受信しないと判断した場合前記受信しないと判断された電子メール以外の他の電子メールを受信するか否かの判断に移行することを特徴とする請求項２７又は２８記載の情報処理装置。
【請求項３０】
前記第１取得手段は前記属性情報として前記電子メールのサイズ情報を取得し、前記判断手段は前記取得されたサイズ情報に基づいて前記電子メールを受信するか否か判断することを特徴とする請求項２７乃至２９のいずれか１項に記載の情報処理装置。
【請求項３１】
前記受信手段によって受信可能な電子メールのサイズの最大値情報を取得する第２取得手段をさらに有し、
前記判断手段は前記第１取得手段が取得した前記電子メールのサイズ情報と前記第２取得手段が取得した前記最大値情報とを比較して、前記電子メールを受信するか否かを判断することを特徴とする請求項３０記載の情報処理装置。
【請求項３２】
前記制御手段は、前記判断手段が受信しないと判断した電子メールのヘッダ情報のみを受信し、前記受信したヘッダ情報から取得した情報を通信管理情報として記憶することを特徴とする請求項２７乃至３１のいずれか１項に記載の情報処理装置。
【請求項３３】
前記制御手段は、前記判断手段が受信しないと判断した電子メールのサイズ情報を通信管理情報として記憶することを特徴とする請求項３０乃至３２のいずれか１項に記載の情報処理装置。
【請求項３４】
前記制御手段は、前記判断手段が受信しないと判断した電子メールの前記受信手段による受信が中止された旨を通信管理情報として記憶することを特徴とする請求項２７乃至３３のいずれか１項に記載の情報処理装置。
【請求項３５】
前記制御手段は、前記判断手段が受信しないと判断した電子メールが削除された旨を通信管理情報として記憶することを特徴とする請求項２７乃至３４のいずれか１項に記載の情報処理装置。
【請求項３６】
前記判断手段が受信すると判断した電子メールを前記受信手段が受信する場合、前記制御手段は前記受信手段が受信した電子メールから取得した情報を通信管理情報として記憶することを特徴とする請求項２７乃至３５のいずれか１項に記載の情報処理装置。
【請求項３７】
前記判断手段が受信すると判断した電子メールを前記受信手段が受信する場合、前記受信手段が受信した電子メールを出力する出力手段をさらに備えることを特徴とする請求項２７乃至３６のいずれか１項に記載の情報処理装置。
【請求項３８】
電子メールサーバと接続される情報処理装置の情報処理方法において、
前記電子メールサーバ上に設けられているメールボックスに蓄積されている電子メールを受信する受信工程と、
前記メールボックスに蓄積されている電子メールの属性情報を取得する第１取得工程と、
前記第１取得工程において取得した前記属性情報に基づいて前記電子メールを受信するか否かを判断する判断工程と、
前記判断工程において前記電子メールを受信しないと判断した場合、前記受信しないと判断した電子メールを前記メールボックスから削除する指示を前記電子メールサーバに送信する制御工程とを有することを特徴とする情報処理方法。
【請求項３９】
前記受信工程において前記電子メールを受信する動作を行う前に、前記判断工程において前記電子メールを受信するか否かを判断することを特徴とする請求項３８記載の情報処理方法。
【請求項４０】
前記メールボックスに少なくとも１つの電子メールが蓄積されている場合、前記判断工程は、前記電子メールを受信しないと判断した場合前記受信しないと判断された電子メール以外の他の電子メールを受信するか否かの判断に移行することを特徴とする請求項３８又は３９記載の情報処理方法。
【請求項４１】
前記第１取得工程は前記属性情報として前記電子メールのサイズ情報を取得し、前記判断工程は前記取得されたサイズ情報に基づいて前記電子メールを受信するか否かを判断することを特徴とする請求項３８乃至４０のいずれか１項に記載の情報処理方法。
【請求項４２】
前記受信工程において受信可能な電子メールのサイズの最大値情報を取得する第２取得工程をさらに有し、
前記判断工程は前記第１取得工程において取得した前記電子メールのサイズ情報と前記第２取得工程において取得した前記最大値情報とを比較して、前記電子メールを受信するか否かを判断することを特徴とする請求項４１記載の情報処理方法。
【請求項４３】
前記制御工程は、前記判断工程において受信しないと判断した電子メールのヘッダ情報のみ受信し、前記受信したヘッダ情報から取得した情報を通信管理情報として記憶することを特徴とする請求項３８乃至４２のいずれか１項に記載の情報処理方法。
【請求項４４】
前記制御工程は、前記判断工程において受信しないと判断した電子メールのサイズ情報を通信管理情報として記憶することを特徴とする請求項４１乃至４３のいずれか１項に記載の情報処理方法。
【請求項４５】
前記制御工程は、前記判断工程において受信しないと判断した電子メールの前記受信工程における受信が中止された旨を通信管理情報として記憶することを特徴とする請求項３８乃至４４のいずれか１項に記載の情報処理装置の情報処理方法。
【請求項４６】
前記制御工程は、前記判断工程において受信しないと判断した電子メールが削除された旨を通信管理情報として記憶することを特徴とする請求項３８乃至４５のいずれか１項に記載の情報処理方法。
【請求項４７】
前記判断工程において受信すると判断した電子メールを前記受信工程によって受信する場合、前記制御工程は前記受信工程において受信した電子メールから取得した情報を通信管理情報として記憶することを特徴とする請求項３８乃至４６のいずれか１項に記載の情報処理方法。
【請求項４８】
前記判断工程において受信すると判断した電子メールを前記受信工程において受信する場合、前記受信工程において受信した電子メールを出力する出力工程をさらに有することを特徴とする請求項３８乃至４７のいずれか１項に記載の情報処理方法。
【請求項４９】
電子メールサーバに接続される情報処理装置の情報処理方法をコンピュータに実行させるプログラムにおいて、
前記電子メールサーバ上に設けられているメールボックスに蓄積されている電子メールを受信する受信モジュールと、
前記メールボックスに蓄積されている電子メールの属性情報を取得する第１取得モジュールと、
前記第１取得モジュールが取得した前記属性情報に基づいて前記電子メールを受信するか否かを判断する判断モジュールと、
前記判断モジュールが前記電子メールを受信しないと判断した場合、前記受信しないと判断した電子メールを前記メールボックスから削除する指示を前記電子メールサーバに送信する制御モジュールとを有することを特徴とするプログラム。
【請求項５０】
請求項４９記載のプログラムを格納したことを特徴とするコンピュータ読み取り可能な記憶媒体。
【手続補正２】
【補正対象書類名】明細書
【補正対象項目名】０００５
【補正方法】変更
【補正の内容】
【０００５】
【課題を解決するための手段】
上記目的を達成するために、請求項１記載の情報処理装置は、電子メールサーバ上に設けられているメールボックスに蓄積されている電子メールを受信する受信手段と、前記受信手段が受信した電子メールを記憶する記憶手段と、前記メールボックスに蓄積されている電子メールのサイズ情報を取得する取得手段と、前記取得手段が取得したサイズ情報に基づいて前記電子メールのサイズが前記記憶手段の領域サイズを超えているか否かを判断して前記電子メールを受信するか否かを判断する判断手段と、前記判断手段が前記電子メールを受信しないと判断した場合、前記受信しないと判断した電子メールの情報を通信管理情報として前記記憶手段に記憶させる制御手段とを有することを特徴とする。
【手続補正３】
【補正対象書類名】明細書
【補正対象項目名】０００６
【補正方法】変更
【補正の内容】
【０００６】
請求項２記載の情報処理装置は、請求項１記載の情報処理装置において、前記メールボックスに少なくとも１つの電子メールが蓄積されている場合、前記制御手段は前記判断手段が受信しないと判断した電子メールの件数を通知することを特徴とする。
【手続補正４】
【補正対象書類名】明細書
【補正対象項目名】０００７
【補正方法】変更
【補正の内容】
【０００７】
請求項３記載の情報処理装置は、請求項２記載の情報処理装置において、前記取得手段は前記蓄積されている電子メールのサイズの合計を取得し、前記判断手段は前記取得した前記蓄積されている電子メールのサイズの合計が前記記憶手段の領域サイズを超えているか否かを判断することを特徴とする。
【手続補正５】
【補正対象書類名】明細書
【補正対象項目名】０００８
【補正方法】変更
【補正の内容】
【０００８】
請求項４記載の情報処理装置は、請求項３記載の情報処理装置において、前記取得した前記蓄積されている電子メールのサイズの合計が前記記憶手段の領域サイズを超えていると判断した場合、前記蓄積されている電子メール全てを受信しないと判断することを特徴とする。
【手続補正６】
【補正対象書類名】明細書
【補正対象項目名】０００９
【補正方法】変更
【補正の内容】
【０００９】
請求項５記載の情報処理装置は、請求項１乃至４のいずれか１項に記載の情報処理装置において、前記判断手段が前記取得手段によって取得されたサイズ情報に基づいて前記電子メールのサイズが前記記憶手段の領域サイズを超えていないと判断して前記電子メールを受信すると判断した場合、前記受信手段は前記電子メールを前記電子メールサーバから受信し、前記制御手段は前記受信手段が受信した電子メールから取得した情報を前記通信管理情報として前記記憶手段に記憶させることを特徴とする。
【手続補正７】
【補正対象書類名】明細書
【補正対象項目名】００１０
【補正方法】変更
【補正の内容】
【００１０】
請求項６記載の情報処理装置は、請求項１乃至５のいずれか１項に記載の情報処理装置において、前記判断手段が受信すると判断した電子メールを前記受信手段が受信した後に、前記受信手段が受信した電子メールを出力する出力手段をさらに有することを特徴とする。
【手続補正８】
【補正対象書類名】明細書
【補正対象項目名】００１１
【補正方法】変更
【補正の内容】
【００１１】
また、上記目的を達成するために、本発明の請求項７記載の情報処理方法は、電子メールサーバに接続される情報処理装置の情報処理方法において、前記電子メールサーバ上に設けられているメールボックスに蓄積されている電子メールを受信する受信工程と、前記受信工程において受信した電子メールを前記情報処理装置の記憶手段に記憶する記憶工程と、前記メールボックスに蓄積されている電子メールのサイズ情報を取得する取得工程と、前記取得工程において取得したサイズ情報に基づいて前記電子メールのサイズが前記記憶手段の領域サイズを超えているか否かを判断して前記電子メールを受信するか否かを判断する判断工程と、前記判断工程において前記電子メールを受信しないと判断した場合、前記受信しないと判断した電子メールの情報を通信管理情報として前記記憶手段に記憶する制御工程とを有することを特徴とする。
【手続補正９】
【補正対象書類名】明細書
【補正対象項目名】００１２
【補正方法】変更
【補正の内容】
【００１２】
請求項８記載の情報処理方法は、請求項７記載の情報処理方法において、前記メールボックスに少なくとも１つの電子メールが蓄積されている場合、前記制御工程は前記判断工程において受信をしないと判断した電子メールの件数を通知することを特徴とする。
【手続補正１０】
【補正対象書類名】明細書
【補正対象項目名】００１３
【補正方法】変更
【補正の内容】
【００１３】
請求項９記載の情報処理方法は、請求項８記載の情報処理方法において、前記取得工程は前記蓄積されている電子メールのサイズの合計を取得し、前記判断工程は前記取得した前記蓄積されている電子メールのサイズの合計が前記記憶手段の領域サイズを超えているか否かを判断することを特徴とする。
【手続補正１１】
【補正対象書類名】明細書
【補正対象項目名】００１４
【補正方法】変更
【補正の内容】
【００１４】
請求項１０記載の情報処理方法は、請求項９記載の情報処理方法において、前記判断工程は、前記取得した前記蓄積されている電子メールのサイズの合計が前記記憶手段の領域サイズを超えていると判断した場合、前記蓄積されている電子メール全てを受信しないと判断することを特徴とする。
【手続補正１２】
【補正対象書類名】明細書
【補正対象項目名】００１５
【補正方法】変更
【補正の内容】
【００１５】
請求項１１記載の情報処理方法は、請求項７乃至１０のいずれか１項に記載の情報処理方法において、前記判断工程において、前記取得工程により取得したサイズ情報に基づいて前記電子メールのサイズが前記記憶手段の領域サイズを超えていないと判断して前記電子メールを受信すると判断した場合、前記受信工程は前記電子メールを前記電子メールサーバから受信し、前記制御工程は前記受信工程によって受信した電子メールから取得した情報を前記通信管理情報として前記記憶手段に記憶することを特徴とする。
【手続補正１３】
【補正対象書類名】明細書
【補正対象項目名】００１６
【補正方法】変更
【補正の内容】
【００１６】
請求項１２記載の情報処理方法は、請求項７乃至１１のいずれか１項に記載の情報処理方法において、前記判断工程において受信すると判断した電子メールを前記受信工程において受信した後に、前記受信工程において受信した電子メールを出力する出力ステップをさらに有することを特徴とする。
【手続補正１４】
【補正対象書類名】明細書
【補正対象項目名】００１７
【補正方法】変更
【補正の内容】
【００１７】
また、上記目的を達成するために、本発明の請求項１３記載のプログラムは、電子メールサーバに接続される情報処理装置の情報処理方法をコンピュータに実行させるプログラムであって、前記電子メールサーバ上に設けられているメールボックスに蓄積されている電子メールを受信する受信モジュールと、前記受信モジュールが受信した電子メールを前記情報処理装置の記憶手段に記憶する記憶モジュールと、前記メールボックスに蓄積されている電子メールのサイズ情報を取得する取得モジュールと、前記取得モジュールが取得したサイズ情報に基づいて前記電子メールのサイズが前記記憶手段の領域サイズを超えているか否かを判断して前記電子メールを受信するか否かを判断する判断モジュールと、前記判断モジュールが前記電子メールを受信しないと判断した場合、前記受信しないと判断した電子メールの情報を通信管理情報として前記記憶手段に記憶する制御モジュールとを有することを特徴とする。
【手続補正１５】
【補正対象書類名】明細書
【補正対象項目名】００１８
【補正方法】変更
【補正の内容】
【００１８】
また、上記目的を達成するために、本発明の請求項１４記載の記憶媒体は、請求項１３に記載のプログラムを格納することを特徴とするコンピュータ読み取り可能な記憶媒体。
【手続補正１６】
【補正対象書類名】明細書
【補正対象項目名】００１９
【補正方法】変更
【補正の内容】
【００１９】
また、上記目的を達成するために、本発明の請求項１５記載の情報処理装置は、電子メールサーバ上に設けられているメールボックスに蓄積されている電子メールを受信する受信手段と、前記メールボックスに少なくとも１つの電子メールが蓄積されている場合、前記メールボックスに蓄積されている電子メールのサイズ情報を取得する取得手段と、前記取得手段が取得したサイズ情報に基づいて前記電子メールを受信するか否かを判断する判断手段とを有し、前記判断手段が前記電子メールを受信しないと判断した場合、前記受信手段は前記受信しないと判断された電子メールの受信動作を行わず、前記判断手段は前記受信しないと判断された電子メール以外の他の電子メールを受信するか否かの判断に移行することを特徴とする。
【手続補正１７】
【補正対象書類名】明細書
【補正対象項目名】００２０
【補正方法】変更
【補正の内容】
【００２０】
請求項１６記載の情報処理装置は、請求項１５記載の情報処理装置において、前記受信手段が受信した電子メールを記憶する記憶手段をさらに有し、前記判断手段は、前記取得手段が取得したサイズ情報に基づいて前記電子メールのサイズが前記記憶手段の領域サイズを超えているか否かを判断して前記電子メールを受信するか否かを判断することを特徴とする。
【手続補正１８】
【補正対象書類名】明細書
【補正対象項目名】００２１
【補正方法】変更
【補正の内容】
【００２１】
請求項１７記載の情報処理装置は、請求項１５又は１６記載の情報処理装置において、前記判断手段が受信しないと判断した電子メールの前記受信手段による受信動作が中止された旨を通知する制御手段をさらに有することを特徴とする。
【手続補正１９】
【補正対象書類名】明細書
【補正対象項目名】００２２
【補正方法】変更
【補正の内容】
【００２２】
請求項１８記載の情報処理装置は、請求項１７に記載の情報処理装置において、前記判断手段が受信すると判断した電子メールを前記受信手段が受信する場合、前記制御手段は前記受信手段が受信した電子メールから取得した情報を通信管理情報として記憶することを特徴とする。
【手続補正２０】
【補正対象書類名】明細書
【補正対象項目名】００２３
【補正方法】変更
【補正の内容】
【００２３】
請求項１９記載の情報処理装置は、請求項１５乃至１８のいずれか１項に記載の情報処理装置において、前記判断手段が受信すると判断した電子メールを前記受信手段が受信する場合、前記受信手段が受信した電子メールを出力する出力手段をさらに有することを特徴とする。
【手続補正２１】
【補正対象書類名】明細書
【補正対象項目名】００２４
【補正方法】変更
【補正の内容】
【００２４】
また、上記目的を達成するために、本発明の請求項２０記載の情報処理方法は、電子メールサーバに接続される情報処理装置の情報処理方法において、前記電子メールサーバ上に設けられているメールボックスに蓄積されている電子メールを受信する受信工程と、前記メールボックスに少なくとも１つの電子メールが蓄積されている場合、前記メールボックスに蓄積されている電子メールのサイズ情報を取得する取得工程と、前記取得工程において取得したサイズ情報に基づいて前記電子メールを受信するか否かを判断する判断工程とを有し、前記判断工程において前記電子メールを受信しないと判断した場合、前記受信工程は前記受信しないと判断された電子メールの受信動作を行わず、前記判断工程は前記受信しないと判断された電子メール以外の他の電子メールを受信するか否かの判断に移行することを特徴とする。
【手続補正２２】
【補正対象書類名】明細書
【補正対象項目名】００２５
【補正方法】変更
【補正の内容】
【００２５】
請求項２１記載の情報処理方法は、請求項２０記載の情報処理方法において、前記受信工程において受信した電子メールを前記情報処理装置の記憶手段に記憶する記憶工程をさらに有し、前記判断工程は、前記取得工程において取得したサイズ情報に基づいて前記電子メールのサイズが前記記憶手段の領域サイズを超えているか否かを判断して前記電子メールを受信するか否かを判断することを特徴とする。
【手続補正２３】
【補正対象書類名】明細書
【補正対象項目名】００２６
【補正方法】変更
【補正の内容】
【００２６】
請求項２２記載の情報処理方法は、請求項２０又は２１記載の情報処理方法において、前記判断工程において受信しないと判断した電子メールの前記受信工程における受信動作が中止された旨を通知する制御工程をさらに有することを特徴とする。
【手続補正２４】
【補正対象書類名】明細書
【補正対象項目名】００２７
【補正方法】変更
【補正の内容】
【００２７】
請求項２３記載の情報処理方法は、請求項２２に記載の情報処理方法において、前記判断工程において受信すると判断した電子メールを前記受信工程において受信する場合、前記制御工程は前記受信工程において受信した電子メールから取得した情報を通信管理情報として記憶することを特徴とする。
【手続補正２５】
【補正対象書類名】明細書
【補正対象項目名】００２８
【補正方法】変更
【補正の内容】
【００２８】
請求項２４記載の情報処理方法は、請求項２０乃至２３のいずれか１項に記載の情報処理方法において、前記判断工程において受信すると判断した電子メールを前記受信工程において受信する場合、前記受信工程において受信した電子メールを出力する出力工程をさらに有することを特徴とする。
【手続補正２６】
【補正対象書類名】明細書
【補正対象項目名】００２９
【補正方法】変更
【補正の内容】
【００２９】
また、上記目的を達成するために、本発明の請求項２５記載のプログラムは、電子メールサーバに接続される情報処理装置の情報処理方法をコンピュータに実行させるプログラムであって、前記電子メールサーバ上に設けられているメールボックスに蓄積されている電子メールを受信する受信モジュールと、前記メールボックスに少なくとも１つの電子メールが蓄積されている場合、前記メールボックスに蓄積されている電子メールのサイズ情報を取得する取得モジュールと、前記取得モジュールが取得したサイズ情報に基づいて前記電子メールを受信するか否かを判断する判断モジュールとを有し、前記判断モジュールが前記電子メールを受信しないと判断した場合、前記受信モジュールは前記受信しないと判断された電子メールの受信動作を行わず、前記判断モジュールは前記受信しないと判断された電子メール以外の他の電子メールを受信するか否かの判断に移行することを特徴とする。
【手続補正２７】
【補正対象書類名】明細書
【補正対象項目名】００３０
【補正方法】変更
【補正の内容】
【００３０】
また、上記目的を達成するために、本発明の請求項２６記載の記憶媒体は、請求項２５に記載のプログラムを格納したことを特徴とする。
【手続補正２８】
【補正対象書類名】明細書
【補正対象項目名】００３１
【補正方法】変更
【補正の内容】
【００３１】
また、上記目的を達成するために、本発明の請求項２７記載の情報処理装置は、電子メールサーバ上に設けられているメールボックスに蓄積されている電子メールを受信する受信手段と、前記メールボックスに蓄積されている電子メールの属性情報を取得する第１取得手段と、前記第１取得手段が取得した前記属性情報に基づいて前記電子メールを受信するか否かを判断する判断手段と、前記判断手段が前記電子メールを受信しないと判断した場合、前記受信しないと判断された電子メールを前記メールボックスから削除する指示を前記電子メールサーバに送信する制御手段とを有することを特徴とする。
【手続補正２９】
【補正対象書類名】明細書
【補正対象項目名】００３２
【補正方法】変更
【補正の内容】
【００３２】
請求項２８記載の情報処理装置は、請求項２７に記載の情報処理装置において、前記受信手段が前記電子メールを受信する動作を行う前に、前記判断手段が前記電子メールを受信するか否かを判断することを特徴とする。
【手続補正３０】
【補正対象書類名】明細書
【補正対象項目名】００３３
【補正方法】変更
【補正の内容】
【００３３】
請求項２９記載の情報処理装置は、請求項２７又は２８記載の情報処理装置において、前記メールボックスに少なくとも１つの電子メールが蓄積されている場合、前記判断手段は、前記電子メールを受信しないと判断した場合前記受信しないと判断された電子メール以外の他の電子メールを受信するか否かの判断に移行することを特徴とする。
【手続補正３１】
【補正対象書類名】明細書
【補正対象項目名】００３４
【補正方法】変更
【補正の内容】
【００３４】
請求項３０記載の情報処理装置は、請求項２７乃至２９のいずれか１項に記載の情報処理装置において、前記第１取得手段は前記属性情報として前記電子メールのサイズ情報を取得し、前記判断手段は前記取得されたサイズ情報に基づいて前記電子メールを受信するか否か判断することを特徴とする。
【手続補正３２】
【補正対象書類名】明細書
【補正対象項目名】００３５
【補正方法】変更
【補正の内容】
【００３５】
請求項３１記載の情報処理装置は、請求項３０記載の情報処理装置において、前記受信手段によって受信可能な電子メールのサイズの最大値情報を取得する第２取得手段をさらに有し、前記判断手段は前記第１取得手段が取得した前記電子メールのサイズ情報と前記第２取得手段が取得した前記最大値情報とを比較して、前記電子メールを受信するか否かを判断することを特徴とする。
【手続補正３３】
【補正対象書類名】明細書
【補正対象項目名】００３６
【補正方法】変更
【補正の内容】
【００３６】
請求項３２記載の情報処理装置は、請求項２７乃至３１のいずれか１項に記載の情報処理装置において、前記制御手段は、前記判断手段が受信しないと判断した電子メールのヘッダ情報のみを受信し、前記受信したヘッダ情報から取得した情報を通信管理情報として記憶することを特徴とする。
【手続補正３４】
【補正対象書類名】明細書
【補正対象項目名】００３７
【補正方法】変更
【補正の内容】
【００３７】
請求項３３記載の情報処理装置は、請求項３０乃至３２のいずれか１項に記載の情報処理装置において、前記制御手段は、前記判断手段が受信しないと判断した電子メールのサイズ情報を通信管理情報として記憶することを特徴とする。
【手続補正３５】
【補正対象書類名】明細書
【補正対象項目名】００３８
【補正方法】変更
【補正の内容】
【００３８】
請求項３４記載の情報処理装置は、請求項２７乃至３３のいずれか１項に記載の情報処理装置において、前記制御手段は、前記判断手段が受信しないと判断した電子メールの前記受信手段による受信が中止された旨を通信管理情報として記憶することを特徴とする。
【手続補正３６】
【補正対象書類名】明細書
【補正対象項目名】００３９
【補正方法】変更
【補正の内容】
【００３９】
請求項３５記載の情報処理装置は、請求項２７乃至３４のいずれか１項に記載の情報処理装置において、前記制御手段は、前記判断手段が受信しないと判断した電子メールが削除された旨を通信管理情報として記憶することを特徴とする。
【手続補正３７】
【補正対象書類名】明細書
【補正対象項目名】００４０
【補正方法】変更
【補正の内容】
【００４０】
請求項３６記載の情報処理装置は、請求項２７乃至３５のいずれか１項に記載の情報処理装置において、前記判断手段が受信すると判断した電子メールを前記受信手段が受信する場合、前記制御手段は前記受信手段が受信した電子メールから取得した情報を通信管理情報として記憶することを特徴とする。
【手続補正３８】
【補正対象書類名】明細書
【補正対象項目名】００４１
【補正方法】変更
【補正の内容】
【００４１】
請求項３７記載の情報処理装置は、請求項２７乃至３６のいずれか１項に記載の情報処理装置において、前記判断手段が受信すると判断した電子メールを前記受信手段が受信する場合、前記受信手段が受信した電子メールを出力する出力手段をさらに備えることを特徴とする。
【手続補正３９】
【補正対象書類名】明細書
【補正対象項目名】００４２
【補正方法】変更
【補正の内容】
【００４２】
また、上記目的を達成するために、本発明の請求項３８記載の情報処理方法は、電子メールサーバと接続される情報処理装置の情報処理方法において、前記電子メールサーバ上に設けられているメールボックスに蓄積されている電子メールを受信する受信工程と、前記メールボックスに蓄積されている電子メールの属性情報を取得する第１取得工程と、前記第１取得工程において取得した前記属性情報に基づいて前記電子メールを受信するか否かを判断する判断工程と、前記判断工程において前記電子メールを受信しないと判断した場合、前記受信しないと判断した電子メールを前記メールボックスから削除する指示を前記電子メールサーバに送信する制御工程とを有することを特徴とする。
【手続補正４０】
【補正対象書類名】明細書
【補正対象項目名】００４３
【補正方法】変更
【補正の内容】
【００４３】
請求項３９記載の情報処理方法は、請求項３８記載の情報処理方法において、前記受信工程において前記電子メールを受信する動作を行う前に、前記判断工程において前記電子メールを受信するか否かを判断することを特徴とする。
【手続補正４１】
【補正対象書類名】明細書
【補正対象項目名】００４４
【補正方法】変更
【補正の内容】
【００４４】
請求項４０記載の情報処理方法は、請求項３８又は３９記載の情報処理方法において、前記メールボックスに少なくとも１つの電子メールが蓄積されている場合、前記判断工程は、前記電子メールを受信しないと判断した場合前記受信しないと判断された電子メール以外の他の電子メールを受信するか否かの判断に移行することを特徴とする。
【手続補正４２】
【補正対象書類名】明細書
【補正対象項目名】００４５
【補正方法】変更
【補正の内容】
【００４５】
請求項４１記載の情報処理方法は、請求項３８乃至４０のいずれか１項に記載の情報処理方法において、前記第１取得工程は前記属性情報として前記電子メールのサイズ情報を取得し、前記判断工程は前記取得されたサイズ情報に基づいて前記電子メールを受信するか否かを判断することを特徴とする。
【手続補正４３】
【補正対象書類名】明細書
【補正対象項目名】００４６
【補正方法】変更
【補正の内容】
【００４６】
請求項４２記載の情報処理方法は、請求項４１記載の情報処理方法において、前記受信工程において受信可能な電子メールのサイズの最大値情報を取得する第２取得工程をさらに有し、前記判断工程は前記第１取得工程において取得した前記電子メールのサイズ情報と前記第２取得工程において取得した前記最大値情報とを比較して、前記電子メールを受信するか否かを判断することを特徴とする。
【手続補正４４】
【補正対象書類名】明細書
【補正対象項目名】００４７
【補正方法】変更
【補正の内容】
【００４７】
請求項４３記載の情報処理方法は、請求項３８乃至４２のいずれか１項に記載の情報処理方法において、前記制御工程は、前記判断工程において受信しないと判断した電子メールのヘッダ情報のみ受信し、前記受信したヘッダ情報から取得した情報を通信管理情報として記憶することを特徴とする。
【手続補正４５】
【補正対象書類名】明細書
【補正対象項目名】００４８
【補正方法】変更
【補正の内容】
【００４８】
請求項４４記載の情報処理方法は、請求項４１乃至４３のいずれか１項に記載の情報処理方法において、前記制御工程は、前記判断工程において受信しないと判断した電子メールのサイズ情報を通信管理情報として記憶することを特徴とする。
【手続補正４６】
【補正対象書類名】明細書
【補正対象項目名】００４９
【補正方法】変更
【補正の内容】
【００４９】
請求項４５記載の情報処理方法は、請求項３８乃至４４のいずれか１項に記載の情報処理装置の情報処理方法において、前記制御工程は、前記判断工程において受信しないと判断した電子メールの前記受信工程における受信が中止された旨を通信管理情報として記憶することを特徴とする。
【手続補正４７】
【補正対象書類名】明細書
【補正対象項目名】００５０
【補正方法】変更
【補正の内容】
【００５０】
請求項４６記載の情報処理方法は、請求項３８乃至４５のいずれか１項に記載の情報処理方法において、前記制御工程は、前記判断工程において受信しないと判断した電子メールが削除された旨を通信管理情報として記憶することを特徴とする。
【手続補正４８】
【補正対象書類名】明細書
【補正対象項目名】００５１
【補正方法】変更
【補正の内容】
【００５１】
請求項４７記載の情報処理方法は、請求項３８乃至４６のいずれか１項に記載の情報処理方法において、前記判断工程において受信すると判断した電子メールを前記受信工程によって受信する場合、前記制御工程は前記受信工程において受信した電子メールから取得した情報を通信管理情報として記憶することを特徴とする。
【手続補正４９】
【補正対象書類名】明細書
【補正対象項目名】００５２
【補正方法】変更
【補正の内容】
【００５２】
請求項４８記載の情報処理方法は、請求項３８乃至４７のいずれか１項に記載の情報処理方法において、前記判断工程において受信すると判断した電子メールを前記受信工程において受信する場合、前記受信工程において受信した電子メールを出力する出力工程をさらに有することを特徴とする。
【手続補正５０】
【補正対象書類名】明細書
【補正対象項目名】００５３
【補正方法】変更
【補正の内容】
【００５３】
また、上記目的を達成するために、本発明の請求項４９記載のプログラムは、電子メールサーバに接続される情報処理装置の情報処理方法をコンピュータに実行させるプログラムにおいて、前記電子メールサーバ上に設けられているメールボックスに蓄積されている電子メールを受信する受信モジュールと、前記メールボックスに蓄積されている電子メールの属性情報を取得する第１取得モジュールと、前記第１取得モジュールが取得した前記属性情報に基づいて前記電子メールを受信するか否かを判断する判断モジュールと、前記判断モジュールが前記電子メールを受信しないと判断した場合、前記受信しないと判断した電子メールを前記メールボックスから削除する指示を前記電子メールサーバに送信する制御モジュールとを有することを特徴とする。
【手続補正５１】
【補正対象書類名】明細書
【補正対象項目名】００５４
【補正方法】変更
【補正の内容】
【００５４】
また、上記目的を達成するために、本発明の請求項５０記載の記憶媒体は、請求項４９記載のプログラムを格納したことを特徴とする。
【手続補正５２】
【補正対象書類名】明細書
【補正対象項目名】００５５
【補正方法】削除
【補正の内容】
【手続補正５３】
【補正対象書類名】明細書
【補正対象項目名】００５６
【補正方法】削除
【補正の内容】
【手続補正５４】
【補正対象書類名】明細書
【補正対象項目名】００５７
【補正方法】削除
【補正の内容】
【手続補正５５】
【補正対象書類名】明細書
【補正対象項目名】００５８
【補正方法】削除
【補正の内容】
【手続補正５６】
【補正対象書類名】明細書
【補正対象項目名】００５９
【補正方法】削除
【補正の内容】
【手続補正５７】
【補正対象書類名】明細書
【補正対象項目名】００６０
【補正方法】削除
【補正の内容】
【手続補正５８】
【補正対象書類名】明細書
【補正対象項目名】００６１
【補正方法】削除
【補正の内容】
【手続補正５９】
【補正対象書類名】明細書
【補正対象項目名】００６２
【補正方法】削除
【補正の内容】
【手続補正６０】
【補正対象書類名】明細書
【補正対象項目名】００６３
【補正方法】削除
【補正の内容】
【手続補正６１】
【補正対象書類名】明細書
【補正対象項目名】００６４
【補正方法】削除
【補正の内容】
【手続補正６２】
【補正対象書類名】明細書
【補正対象項目名】００６５
【補正方法】削除
【補正の内容】
【手続補正６３】
【補正対象書類名】明細書
【補正対象項目名】００６６
【補正方法】削除
【補正の内容】
【手続補正６４】
【補正対象書類名】明細書
【補正対象項目名】００６７
【補正方法】削除
【補正の内容】
【手続補正６５】
【補正対象書類名】明細書
【補正対象項目名】００６８
【補正方法】削除
【補正の内容】
【手続補正６６】
【補正対象書類名】明細書
【補正対象項目名】００６９
【補正方法】削除
【補正の内容】
【手続補正６７】
【補正対象書類名】明細書
【補正対象項目名】００７０
【補正方法】削除
【補正の内容】
【手続補正６８】
【補正対象書類名】明細書
【補正対象項目名】００７１
【補正方法】削除
【補正の内容】
【手続補正６９】
【補正対象書類名】明細書
【補正対象項目名】００７２
【補正方法】削除
【補正の内容】
【手続補正７０】
【補正対象書類名】明細書
【補正対象項目名】００７３
【補正方法】削除
【補正の内容】
【手続補正７１】
【補正対象書類名】明細書
【補正対象項目名】００７４
【補正方法】削除
【補正の内容】
【手続補正７２】
【補正対象書類名】明細書
【補正対象項目名】００７５
【補正方法】削除
【補正の内容】
【手続補正７３】
【補正対象書類名】明細書
【補正対象項目名】００７６
【補正方法】削除
【補正の内容】
【手続補正７４】
【補正対象書類名】明細書
【補正対象項目名】００７７
【補正方法】削除
【補正の内容】
【手続補正７５】
【補正対象書類名】明細書
【補正対象項目名】００７８
【補正方法】削除
【補正の内容】
【手続補正７６】
【補正対象書類名】明細書
【補正対象項目名】００７９
【補正方法】削除
【補正の内容】
【手続補正７７】
【補正対象書類名】明細書
【補正対象項目名】００８０
【補正方法】削除
【補正の内容】
【手続補正７８】
【補正対象書類名】明細書
【補正対象項目名】００８１
【補正方法】削除
【補正の内容】
【手続補正７９】
【補正対象書類名】明細書
【補正対象項目名】００８２
【補正方法】削除
【補正の内容】
【手続補正８０】
【補正対象書類名】明細書
【補正対象項目名】００８３
【補正方法】削除
【補正の内容】
【手続補正８１】
【補正対象書類名】明細書
【補正対象項目名】００８４
【補正方法】削除
【補正の内容】
【手続補正８２】
【補正対象書類名】明細書
【補正対象項目名】００８５
【補正方法】削除
【補正の内容】
【手続補正８３】
【補正対象書類名】明細書
【補正対象項目名】００８６
【補正方法】削除
【補正の内容】
【手続補正８４】
【補正対象書類名】明細書
【補正対象項目名】００８７
【補正方法】削除
【補正の内容】
【手続補正８５】
【補正対象書類名】明細書
【補正対象項目名】００８８
【補正方法】削除
【補正の内容】
【手続補正８６】
【補正対象書類名】明細書
【補正対象項目名】００８９
【補正方法】削除
【補正の内容】
【手続補正８７】
【補正対象書類名】明細書
【補正対象項目名】００９０
【補正方法】削除
【補正の内容】
【手続補正８８】
【補正対象書類名】明細書
【補正対象項目名】００９１
【補正方法】削除
【補正の内容】
【手続補正８９】
【補正対象書類名】明細書
【補正対象項目名】００９２
【補正方法】削除
【補正の内容】
【手続補正９０】
【補正対象書類名】明細書
【補正対象項目名】００９５
【補正方法】変更
【補正の内容】
【００９５】
図１は、本実施の形態に係る情報処理装置であるインターネット・ファクシミリ装置の構成を示すブロック図であり、同図において、１０１はインターネット・ファクシミリ装置全体を制御するためのＣＰＵ（中央演算処理装置）、１０２はＦＡＸ（ファクシミリ）操作部で、ＬＣＤ（液晶表示器）と入力用のキーパネル及びスピーカ等で構成され、ファクシミリ装置の通信・記録等の入力操作等のユーザＩ／Ｆ（インターフェース）を実現する。１０３はファクシミリ送信する原稿の画像を読み取る読取装置、１０４は受信した画像データや電子メールの本文及び各種レポート等を出力するための記録装置である。１０５  はインターネット・ファクシミリ装置の制御用プログラムとデータとを格納したＲＯＭ（リードオンリーメモリ）で、ＦＡＸ（ファクシミリ）送信・受信制御部１０５ａ、Ｅ−ｍａｉｌ（電子メール）送信・受信制御部１０５ｂ、レポート生成制御部１０５ｃ、記録・読取、ユーザＩ／Ｆ等を制御する記録・読取制御部１０５ｄ等を制御するためのプログラムを格納している。
【手続補正９１】
【補正対象書類名】明細書
【補正対象項目名】０１１７
【補正方法】変更
【補正の内容】
【０１１７】
以上詳述したように、本実施の形態に係る情報処理装置であるインターネット・ファクシミリ装置によれば、ＰＯＰ３によりメールサーバ１１２に接続し、メールを受信する際にＳＴＡＴ要求によりメールボックス内のメールのサイズ・メール数を取得し、その取得したサイズ・メール数を自機のメール受信用のメモリ容量と比較し、メモリボックス内のメールのサイズが自機のメモリ容量を越えていた場合は、受信できないメール数を記述した通信結果レポートを出力することで、メールの受信ができないことを通知する。また、ＬＩＳＴ要求により１通当たりのメールサイズを取得し、自機のメモリ容量を越えていないメールに関しては受信・出力し、自機のメモリ容量を越えたメールに関しては受信できないことを記述した通信結果レポートを出力することで、メールの受信ができなかったメールがどれくらい有るかをユーザに通知することが可能になる。
【手続補正９２】
【補正対象書類名】明細書
【補正対象項目名】０１３８
【補正方法】変更
【補正の内容】
【０１３８】
ステップＳ５０６で、ＳＩＺＥ［Ｎｕｍ］が装置固有の受信可能サイズ、または、ユーザ設定にて設定された受信可能サイズを超えているか否かを判断する。そして、ＳＩＺＥ［Ｎｕｍ］が受信可能サイズを超えていると判断された場合はステップＳ５０７へ、また、ＳＩＺＥ［Ｎｕｍ］が受信可能サイズを超えていないと判断された場合はステップＳ５０８へそれぞれ移行する。